(57)【要約】      （修正有）【課題】発電プラントモジュールに導入される構成デバイスを提供する。【解決手段】構造コンテナ２Ａの側壁２Ｃ１に、ラジエータからの高温空気を斜め上方向に排出するように設計された傾動ドア３を設置するための少なくとも１つの切抜き領域２ｃ２が設けられている構造コンテナ２Ａを含み、傾動ドア３は、ヒンジ式クロージャ４またはその他の関節式および／または傾動クロージャによってそれぞれの切抜き領域２ｃ２に設置され、クロージャ４は、ドア３が前記コンテナの外側に角度（α）で傾いたときに、空気を構造コンテナ２Ａの斜め上部分に向けて送るためにガス導管ＣＧを形成するように、ドア３の下側縁部に固定され、構造コンテナ２Ａの側壁２Ｃ１に設置された傾動ドア３は、変圧／配電装置に関して内側の端部に配置された対応する冷却装置と長手方向に位置合わせされるように、発電プラントモジュール１の変電所に配置される。【選択図】図１
0003217277.tif 000002
【実用新案登録請求の範囲】
【請求項１】
発電プラントモジュールに導入される構成デバイスであり、さらに詳細には、主に隔絶された田舎のコミュニティ、マイニングキャンプ、石油プラットフォーム、嵐に遭ったばかりの被災地、地震の被災地、海洋作業台などの遠隔地、または紛争地域において電気エネルギーを入手するために使用されるタイプの発電プラントモジュール（１）に関し、前記発電プラントモジュール（１）は、エンクロージャあるいはＩＳＯ海洋型２０フィートまたは４０フィートコンテナ（２）の形態で供給され、前記発電プラントモジュール（１）を構成する前記コンテナ（２）は、前記コンテナ（２Ａ）の周壁（２Ｃ）および上壁（２Ｄ）を形成する板（ｃｐ）を取り付けるための構造支柱（Ｃ１）および横材（Ｔ２）がその上に設置された平坦な基部（２ｂ）を有する構造コンテナ（２Ａ）であって、前記コンテナ（２Ａ）の端壁（２Ｃ１）に、ラジエータ（Ｒ）からの高温空気（ＡＲ）を斜め上方向に排出するように設計された傾動ドア（３）を設置するための少なくとも１つの切抜き領域（２ｃ２）が設けられている構造コンテナ（２Ａ）を含み、前記傾動ドア（３）は、ヒンジ式クロージャ（４）またはその他の関節式および／または傾動クロージャによってそれぞれの切抜き領域（２ｃ２）に設置され、前記クロージャ（４）は、前記ドア（３）が前記コンテナの外側に角度（α）で傾いたときに、空気（ＡＲ）を前記構造コンテナ（２Ａ）の斜め上部分に向けて送るためにガス導管（ＣＧ）を形成するように、前記ドア（３）の下側縁部（３ａ）に固定され、前記コンテナ（２Ａ）の側端部（２Ｃ１）に設置された前記傾動ドア（３）は、変圧／配電装置（ＵＴ）に関して内側の端部に配置された対応する冷却装置（ＵＲ）と長手方向に位置合わせされるように、前記発電プラントモジュール（１）の変電所（ＳＢ）に配置される、ことを特徴とする構成デバイス。
【請求項２】
請求項１に記載の発電プラントモジュールに導入される構成デバイスであって、好ましい構造実施形態において、前記傾動ドア（３）は、前記側壁（２Ｃ１）の前記切抜き領域（２ｃ２）と同一の周囲形状を有する前板（３ｃ）で形成され、前記板（３ｃ）の側縁部（３ｄ）から、わずかにアーチ状になった上縁部（３ｅ１）を有するＶ字型の周壁（３ｅ）が延びている、Ｕ字型の断面を有する単一部品（３ｂ）を含む、ことを特徴とする構成デバイス。
【請求項３】
請求項１に記載の発電プラントモジュールに導入される構成デバイスであって、前記コンテナ（２Ａ）の前記傾動ドア（３）の配置の第１の態様において、前記側壁（２Ｃ１）が、両方とも、１対の平行領域（ｐ１）および（ｐ２）を画定する１対の中央支柱（Ｃ１）を有し、前記平行領域はそれぞれ、前記コンテナ（２Ａ）の前記壁（２Ｃ１）の全長（ｚ１）の半分からなる長さ（ｚ）を有する切抜き領域（２ｃ２）を含み、各切抜き領域（２ｃ２）は、それぞれ、角度（α）で１対のガス導管（ＣＧ）を構成する傾動ドア（３）を受ける、ことを特徴とする構成デバイス。
【請求項４】
請求項１に記載の発電プラントモジュールに導入される構成デバイスであって、前記コンテナ（２Ａ’）の前記傾動ドア（３’）の配置の第２の態様において、両側壁（２Ｃ１’）の領域（ｐ１’）が、領域（ｐ２’）の幅（ｘ２’）より小さい幅（ｘ１’）を有し、前記領域（ｐ２’）には、角度（α’）で単一のガス導管（ＣＧ’）を形成するように、前記壁（２Ｃ１’）の全長（ｙ２’）の約２／３の切抜き領域（２ｃ２’）がある、ことを特徴とする構成デバイス。
【請求項５】
請求項１に記載の発電プラントモジュールに導入される構成デバイスであって、前記コンテナ（２Ａ’’）の前記傾動ドア（３’’）の配置の第３の態様において、両側壁（２Ｃ１’’）の領域（ｐ１’’）が、前記領域（ｐ２’’）に、角度（α’’）で単一のガス導管（ＣＧ’’）を形成するように、前記壁（２Ｃ１’’）の全長（ｙ２’’）の約２／３の切抜き領域（２ｃ２’’）を有する、領域（ｐ２’’）の幅（ｘ２’’）より小さい幅（ｘ１’’）を有する、ことを特徴とする構成デバイス。
【考案の詳細な説明】
【技術分野】
【０００１】
本実用新案は、発電プラントモジュールに導入される新たな構成デバイスであって、最も顕著には、前記モジュールが、エンクロージャあるいはＩＳＯ海洋型２０フィートまたは４０フィートコンテナの形態で供給され、前記構造コンテナが、冷却装置のラジエータからの高温ガスまたはその他の排気ガスを斜め上方向に排出するように設計された傾動ドアを含み、他の既存の配置とは異なる配置を備え、コンテナ内部により大型かつ強力な発電設備を設置するためのより大きなスペースを提供することで、このタイプのコンテナの使用を改善する、構成デバイスに関する。
【背景技術】
【０００２】
主に隔絶された田舎のコミュニティ、マイニングキャンプ、石油プラットフォーム、嵐に遭ったばかりの被災地、地震の被災地、海洋作業台などの遠隔地、あるいは紛争地域またはその他の過酷な状況に置かれている地域において電気エネルギーを入手することを可能にするモジュール型発電施設は、既にいくつか知られている。
【０００３】
概して、このようなモジュール型発電機は、モータ、発電設備および冷凍または冷却システムがその中に設置されるコンテナ、エンクロージャまたはそれらと同様の構造と、その他の機器およびデバイスとからなる。ただし、これらの従来のモジュール型発電機は、電気エネルギーを利用できるようにはするが、その地域に存在するエネルギー分配システムと直接接続する手段を含まないので、使用するためには追加の機器が必要となり、したがって、逓昇変圧器、外部定電圧電源線、ヒューズ、外部タンク、オイル容器、土木構造などの追加の機器および構造の施設が必要となり、こうしたことが、発電モジュールの設置の遅滞や妨げの原因になっている。
【０００４】
別の欠点は、従来の発電機のコンテナが、所望の領域に輸送して設置するために大規模な作業を必要とする物理的構造を有し、これによりプロジェクトが複雑化し、費用が嵩む点にある。
【０００５】
別の欠点は、従来のエンクロージャまたはコンテナ内に配置される発電機が、排気口の大部分がエンクロージャまたはコンテナの上面にあることから積み重ねることができない内部排気／熱交換システムを備えた構造になっており、それにより省スペースの可能性が制限される点にある。この欠点は、特に例えば各領域が必要不可欠な機器を設置するために細かく設計および計算されている石油採掘現場の場合のように、専有面積を拡大することができない場所では、設置場所の空間的なロジスティクスにとって極めて好ましくない。
【０００６】
本出願人は、発電機およびその他の機器の開発分野で積極的であり、隔絶された田舎のコミュニティ、マイニングキャンプ、石油プラットフォーム、嵐に遭ったばかりの被災地、地震の被災地等、または従来のエネルギー供給が存在しない地域などの遠隔地域でエネルギーを提供するために使用されるタイプのコンテナまたはそれに類する構造に組み込まれた、エネルギー分配システムに直接接続されるようになっている高電圧変圧システムを有するモジュール型発電プラントに関する、ＢＲ２０２０１３０２９２６７８という文書を既に出願している。このモジュール型発電プラントは、地域のエネルギー分配システムに給電するために中電圧のエネルギーを生成することができる１組の一体型ユニットを含むＩＳＯ海洋型２０フィートまたは４０フィートコンテナの形態で供給される。
【０００７】
したがって、現況技術の欠点に精通し、かつ解決策の開発に従事する企業として、本出願人は、同じ特徴を有する１つまたは複数のエンクロージャまたはコンテナを積み重ねることを可能にしながら、コンテナ内部の最適な熱交換を維持し続けることにより、目下の問題のいくつかを解決することを構想している。
【考案の概要】
【考案が解決しようとする課題】
【０００８】
特殊なデータベースで行われた研究で、例えばＰＩ０６０５４５４−４、ＭＵ９００２０４９−９およびＭＵ８６００２４１−４など、電気エネルギー生成器を備えたコンテナについて言及している文書が発見された。これらのデバイスは、電気的エネルギーを生成する手段を備えたコンテナからなるが、その手段を電気エネルギー分配ネットワークに接続するために追加の構成要素を必要とすることから、設置することが困難になっているという主な欠点を有する。
【０００９】
発見された別の文書ＷＯ２０１４１２０４２９は、リザーバ変電所の第１および第２の端部に位置する第１の変圧器および第２の変圧器を有するリザーバを含む変電所と、発電モジュール用の複数のコンテナとを含み、各発電モジュールが、変電所モジュールの角部に関連して位置決めされ、各発電モジュールが２つの変圧器のうちの１つに連結される、移送可能なモジュール型発電プラントに言及している。
【００１０】
この発電モジュールは移送可能であるように見えるが、主に本願で主張するような、いかなる積み重ねおよび通気の手段もないことからなる、本願の主題である発電モジュールとは異なる特徴を有する。
【課題を解決するための手段】
【００１１】
したがって、消費者市場に改良品を提供するために、本出願人は、エンクロージャあるいはＩＳＯ海洋型２０フィートまたは４０フィートコンテナの形態で供給されるタイプの、発電プラントモジュールに導入される本構成デバイスを開発した。
【００１２】
このコンテナは、コンテナの周壁および上壁を形成する板を取り付けるための構造支柱および横材がその上に設置された平坦な基部を有する構造コンテナであって、その端壁に、冷却装置内に設置されたラジエータからの高温空気を斜め上方向に排出し、その他の排気ガスを通気するように設計された傾動ドアを設置するための少なくとも１つの切抜き領域が設けられている構造コンテナを含む。
【００１３】
この傾動ドアは、ドアの下側縁部に固定されたヒンジによってそれぞれの切抜き領域に設置され、Ｖ字型の周壁がそこから延びる側縁部を有する前板で形成されるＵ字型の断面を有する単一の部品を含む。傾動ドアの関節部は、ガスを連続的に構造コンテナの斜め上部分に向けて送る傾斜ガス導管を含む。
【００１４】
構造コンテナの側端部に傾動ドアを設けることにより、冷却装置が構造コンテナの側壁と平行になり、変圧／配電装置がコンテナの中央部分に設置され、平行な１つまたは複数の発電設備が変圧装置と冷却装置の間に位置する、変電所の新たな配置が可能になる。
【００１５】
さらに、冷却装置からガスが逃げるようにエネルギー生成コンテナ内に傾動ドアを設けることにより、モジュール内部により大きなスペースが生まれ、これにより、より大型かつ強力な発電設備を設置することが可能になる。
【００１６】
主な利点は、通気できるようにガスを構造コンテナの斜め上部分に向けて送る傾斜ガス導管を形成する傾動ドアを追加することにより、発電装置を積み重ねることが可能になり、それにより、利用可能な物理的スペースをより効率的に使用できるように小さな専有面積を有する小型の発電プラントを生み出すことが可能になることにある。
【００１７】
別の利点は、コンテナに組み付けられた変電所を備えるモジュール型発電プラント内で、２×７００ｋＶＡ、２×５５０ｋＶＡ、２×７５０ｋＶＡおよび４×７００ｋＶＡの電力定格を有するコンテナ内に、傾動ドアを実装することができることにある。
【００１８】
さらに別の利点は、発電モジュールの側端部に傾動ドアを設けることにより、コンテナの両側にラジエータを配置するという新たな配置が可能になることである。
【００１９】
さらなる利点は、発電モジュールに傾動ドアを設けることにより、傾動ドアの存在によってエンクロージャおよび基部の長さが約１．５メートル短縮されるので、モジュールの製造コストが削減されることになることである。
【００２０】
本明細書の付録として、また本実用新案の好ましい実施形態により本実用新案の特徴をより深く理解することができるように、本明細書には、例示を目的として非限定的に以下の図面を含む１組の図面が添付されている。
【図面の簡単な説明】
【００２１】
【図１】ある配置の傾動ドアを含む第１の実施形態の形態をした発電プラントモジュールを示す斜視図である。
【図２】正面図である。
【図３】ドアが完全に閉じた状態で、１つのドアが傾いている配置を示す、発電プラントモジュールの側面図である。
【図４】ドアが完全に閉じた状態で、１つのドアが傾いている配置を示す、発電プラントモジュールの側面図である。
【図５】積み重ねを示す、発電プラントモジュールの正面図である。
【図６】モジュール型発電プラントにおける傾動ドアの配置の第２の実施形態を示す斜視図である。
【図７】開位置にある傾動ドアを示す、第２の実施形態の正面図である。
【図８】傾動ドアの配置の第２の変形形態を示す、発電プラントモジュールの側面図である。
【図９】傾動ドアの配置の第２の変形形態を示す、発電プラントモジュールの側面図である。
【図１０】積み重ねを示す、発電プラントモジュールの正面図である。
【図１１】発電プラントモジュールにおける傾動ドアの配置の第３の実施形態を示す斜視図である。
【図１２】開位置にある傾動ドアを示す、第３の実施形態の正面図である。
【図１３】傾動ドアの配置の第３の変形形態を示す、発電プラントモジュールの側面図である。
【図１４】傾動ドアの配置の第３の変形形態を示す、発電プラントモジュールの側面図である。
【図１５】積み重ねを示す、発電プラントモジュールの正面図である。
【図１６】傾動ドアが開いた状態のエンクロージャの側面図である。
【考案を実施するための形態】
【００２２】
図面を参照すると、本実用新案は、「発電プラントモジュールに導入される構成デバイス」に言及するものであり、さらに詳細には、主に隔絶された田舎のコミュニティ、マイニングキャンプ、石油プラットフォーム、嵐に遭ったばかりの被災地、地震の被災地、海洋作業台などの遠隔地、または紛争地域において電気エネルギーを入手するために使用されるタイプの発電プラントモジュール（１）に関する。上記の発電プラントモジュール（１）は、エンクロージャあるいはＩＳＯ海洋型２０フィートまたは４０フィートコンテナ（２）の形態で供給される。
【００２３】
本実用新案によれば、発電プラントモジュール（１）を構成するエンクロージャまたはコンテナは、コンテナ（２Ａ）の周壁（２Ｃ）および上壁（２Ｄ）を形成する板（ｃｐ）を取り付けるための構造支柱（Ｃ１）および横材（Ｔ２）がその上に設置された平坦な基部（２ｂ）を有する構造コンテナ（２Ａ）であって、コンテナ（２Ａ）の端壁（２Ｃ１）に、ラジエータ（Ｒ）からの高温空気（ＡＲ）を斜め上方向に排出するように設計された傾動ドア（３）を設置するための少なくとも１つの切抜き領域（２ｃ２）が設けられている構造コンテナ（２Ａ）を含む。上記の傾動ドア（３）は、ヒンジ式クロージャ（４）あるいはその他の関節式および／または傾動クロージャによってそれぞれの切抜き領域（２ｃ２）に設置され、このクロージャ（４）は、ドア（３）がコンテナの外側に角度（α）で傾いたときに、空気（ＡＲ）を構造コンテナ（２Ａ）の斜め上部分に向けて送るためにガス導管（ＣＧ）を形成するように、ドア（３）の下側縁部（３ａ）に固定される。
【００２４】
コンテナ（２Ａ）の側端部（２Ｃ１）に設置された傾動ドア（３）は、変圧／配電装置（ＵＴ）に関して内側の端部に配置された対応する冷却装置（ＵＲ）と長手方向に位置合わせされるように、発電プラントモジュール（１）の変電所（ＳＢ）に配置される。
【００２５】
好ましい実施形態（図１から図５に示す）では、傾動ドア（３）は、側壁（２Ｃ１）の切抜き領域（２ｃ２）と同一の周囲形状を有する前板（３ｃ）で形成され、板（３ｃ）の側縁部（３ｄ）から、わずかにアーチ状になった上縁部（３ｅ１）を有するＶ字型の周壁（３ｅ）が延びている、Ｕ字型の断面を有する単一部品（３ｂ）を含む。
【００２６】
コンテナ（２Ａ）の傾動ドア（３）の配置の第１の態様（図３および図４に示す）では、両側壁（２Ｃ１）は、１対の平行領域（ｐ１）および（ｐ２）を画定する１対の中央支柱（Ｃ１）を有し、これらの平行領域はそれぞれ、コンテナ（２Ａ）の壁（２Ｃ１）の全長（ｚ１）の半分からなる長さ（ｚ）を有する切抜き領域（２ｃ２）を含む。各切抜き領域（２ｃ２）は、それぞれ、角度（α）で１対のガス導管（ＣＧ）を構成する傾動ドア（３）を受ける。
【００２７】
コンテナ（２Ａ’）の傾動ドア（３’）の配置の第２の態様（図７から図１０に示す）では、両側壁（２Ｃ１’）の領域（ｐ１’）は、領域（ｐ２’）の幅（ｘ２’）より小さい幅（ｘ１’）を有し、領域（ｐ２’）には、角度（α’）で単一のガス導管（ＣＧ’）を形成するように、壁（２Ｃ１’）の全長（ｙ２’）の約２／３の切抜き領域（２ｃ２’）がある。
【００２８】
コンテナ（２Ａ’’）の傾動ドア（３’’）の配置の第３の態様（図１１から図１５に示す）では、両側壁（２Ｃ１’’）の領域（ｐ１’’）は、角度（α’’）で単一のガス導管（ＣＧ’’）を形成するように、壁（２Ｃ１’’）の全長（ｙ２’’）の約２／３の切抜き領域（２ｃ２’’）を有する領域（ｐ２’’）の幅（ｘ２’’）より小さい幅（ｘ１’’）を有する。
【００２９】
この発電モジュールは、新たな形態または配置を提示するように既存の既知の要素の組合せおよび修正を実施して、これらの要素の使用または製造に機能改善をもたらすという点で、実用新案を定義する基準に完璧に適合する、背景技術の項に記載した参考文献と比較して有意な利点を提供する。
【００３０】
本実用新案の好ましい実施形態について説明したが、いかなる変更および／または改変も、提示した実用新案の範囲に含まれるものと理解されたい。
【図１】
0003217277.tif 000003
【図２】
0003217277.tif 000004
【図３】
0003217277.tif 000005
【図４】
0003217277.tif 000006
【図５】
0003217277.tif 000007
【図６】
0003217277.tif 000008
【図７】
0003217277.tif 000009
【図８】
0003217277.tif 000010
【図９】
0003217277.tif 000011
【図１０】
0003217277.tif 000012
【図１１】
0003217277.tif 000013
【図１２】
0003217277.tif 000014
【図１３】
0003217277.tif 000015
【図１４】
0003217277.tif 000016
【図１５】
0003217277.tif 000017
【図１６】
0003217277.tif 000018
【手続補正書】
【提出日】平成29年12月11日(2017.12.11)
【手続補正１】
【補正対象書類名】実用新案登録請求の範囲
【補正対象項目名】全文
【補正方法】変更
【補正の内容】
【実用新案登録請求の範囲】
【請求項１】
発電プラントモジュールに導入される構成デバイスであり、さらに詳細には、主に隔絶された田舎のコミュニティ、マイニングキャンプ、石油プラットフォーム、嵐に遭ったばかりの被災地、地震の被災地、海洋作業台などの遠隔地、または紛争地域において電気エネルギーを入手するために使用されるタイプの発電プラントモジュール（１）に関し、前記発電プラントモジュール（１）は、エンクロージャあるいはＩＳＯ海洋型２０フィートまたは４０フィートコンテナ（２）の形態で供給され、前記発電プラントモジュール（１）を構成する前記コンテナ（２）は、前記構造コンテナ（２Ａ）の周壁（２Ｃ）および上壁（２Ｄ）を形成する板（ｃｐ）を取り付けるための構造支柱（Ｃ１）および横材（Ｔ２）がその上に設置された平坦な基部（２ｂ）を有する構造コンテナ（２Ａ）であって、前記構造コンテナ（２Ａ）の端壁（２Ｃ１）に、ラジエータ（Ｒ）からの高温空気（ＡＲ）を斜め上方向に排出するように設計された傾動ドア（３）を設置するための少なくとも１つの切抜き領域（２ｃ２）が設けられている構造コンテナ（２Ａ）を含み、前記傾動ドア（３）は、ヒンジ式クロージャ（４）またはその他の関節式および／または傾動クロージャによってそれぞれの切抜き領域（２ｃ２）に設置され、前記クロージャ（４）は、前記ドア（３）が前記コンテナの外側に角度（α）で傾いたときに、空気（ＡＲ）を前記構造コンテナ（２Ａ）の斜め上部分に向けて送るためにガス導管（ＣＧ）を形成するように、前記ドア（３）の下側縁部（３ａ）に固定され、前記構造コンテナ（２Ａ）の側端部（２Ｃ１）に設置された前記傾動ドア（３）は、変圧／配電装置（ＵＴ）に関して内側の端部に配置された対応する冷却装置（ＵＲ）と長手方向に位置合わせされるように、前記発電プラントモジュール（１）の変電所（ＳＢ）に配置される、ことを特徴とする構成デバイス。
【請求項２】
請求項１に記載の発電プラントモジュールに導入される構成デバイスであって、好ましい構造実施形態において、前記傾動ドア（３）は、前記側壁（２Ｃ１）の前記切抜き領域（２ｃ２）と同一の周囲形状を有する前板（３ｃ）で形成され、前記板（３ｃ）の側縁部（３ｄ）から、わずかにアーチ状になった上縁部（３ｅ１）を有するＶ字型の周壁（３ｅ）が延びている、Ｕ字型の断面を有する単一部品（３ｂ）を含む、ことを特徴とする構成デバイス。
【請求項３】
請求項１に記載の発電プラントモジュールに導入される構成デバイスであって、前記コンテナ（２Ａ）の前記傾動ドア（３）の配置の第１の態様において、前記側壁（２Ｃ１）が、両方とも、１対の平行領域（ｐ１）および（ｐ２）を画定する１対の構造支柱（Ｃ１）を有し、前記平行領域はそれぞれ、前記コンテナ（２Ａ）の前記壁（２Ｃ１）の全長（ｚ１）の半分からなる長さ（ｚ）を有する切抜き領域（２ｃ２）を含み、各切抜き領域（２ｃ２）は、それぞれ、角度（α）で１対のガス導管（ＣＧ）を構成する傾動ドア（３）を受ける、ことを特徴とする構成デバイス。
【請求項４】
請求項１に記載の発電プラントモジュールに導入される構成デバイスであって、前記コンテナ（２Ａ’）の前記傾動ドア（３’）の配置の第２の態様において、両側壁（２Ｃ１’）の領域（ｐ１’）が、領域（ｐ２’）の幅（ｘ２’）より小さい幅（ｘ１’）を有し、前記領域（ｐ２’）には、角度（α’）で単一のガス導管（ＣＧ’）を形成するように、前記壁（２Ｃ１’）の全長（ｙ２’）の約２／３の切抜き領域（２ｃ２’）がある、ことを特徴とする構成デバイス。
【請求項５】
請求項１に記載の発電プラントモジュールに導入される構成デバイスであって、前記コンテナ（２Ａ’’）の前記傾動ドア（３’’）の配置の第３の態様において、両側壁（２Ｃ１’’）の領域（ｐ１’’）が、領域（ｐ２’’）に、角度（α’’）で単一のガス導管（ＣＧ’’）を形成するように、前記壁（２Ｃ１’’）の全長（ｙ２’’）の約２／３の切抜き領域（２ｃ２’’）を有する、領域（ｐ２’’）の幅（ｘ２’’）より小さい幅（ｘ１’’）を有する、ことを特徴とする構成デバイス。
【手続補正書】
【提出日】平成30年5月31日(2018.5.31)
【手続補正１】
【補正対象書類名】実用新案登録請求の範囲
【補正対象項目名】全文
【補正方法】変更
【補正の内容】
【実用新案登録請求の範囲】
【請求項１】
発電プラントモジュールに導入される構成デバイスであり、さらに詳細には、主に隔絶された田舎のコミュニティ、マイニングキャンプ、石油プラットフォーム、嵐に遭ったばかりの被災地、地震の被災地、海洋作業台などの遠隔地、または紛争地域において電気エネルギーを入手するために使用されるタイプの発電プラントモジュール（１）に関し、前記発電プラントモジュール（１）は、エンクロージャあるいはＩＳＯ海洋型２０フィートまたは４０フィートコンテナ（２）の形態で供給され、前記発電プラントモジュール（１）を構成する前記コンテナ（２）は、構造コンテナ（２Ａ）の周壁（２Ｃ）および上壁（２Ｄ）を形成する板（ｃｐ）を取り付けるための構造支柱（Ｃ１）および横材（Ｔ２）がその上に設置された平坦な基部（２ｂ）を有する構造コンテナ（２Ａ）であって、前記構造コンテナ（２Ａ）の側壁（２Ｃ１）に、ラジエータ（Ｒ）からの高温空気（ＡＲ）を斜め上方向に排出するように設計された傾動ドア（３）を設置するための少なくとも１つの切抜き領域（２ｃ２）が設けられている構造コンテナ（２Ａ）を含み、前記傾動ドア（３）は、ヒンジ式クロージャ（４）またはその他の関節式および／または傾動クロージャによってそれぞれの切抜き領域（２ｃ２）に設置され、前記クロージャ（４）は、前記ドア（３）が前記コンテナの外側に角度（α）で傾いたときに、空気（ＡＲ）を前記構造コンテナ（２Ａ）の斜め上部分に向けて送るためにガス導管（ＣＧ）を形成するように、前記ドア（３）の下側縁部（３ａ）に固定され、前記構造コンテナ（２Ａ）の側壁（２Ｃ１）に設置された前記傾動ドア（３）は、変圧／配電装置（ＵＴ）に関して内側の端部に配置された対応する冷却装置（ＵＲ）と長手方向に位置合わせされるように、前記発電プラントモジュール（１）の変電所（ＳＢ）に配置される、ことを特徴とする構成デバイス。
【請求項２】
請求項１に記載の発電プラントモジュールに導入される構成デバイスであって、好ましい構造実施形態において、前記傾動ドア（３）は、前記側壁（２Ｃ１）の前記切抜き領域（２ｃ２）と同一の周囲形状を有する前板（３ｃ）で形成され、前記板（３ｃ）の側縁部（３ｄ）から、わずかにアーチ状になった上縁部（３ｅ１）を有するＶ字型の周壁（３ｅ）が延びている、Ｕ字型の断面を有する単一部品（３ｂ）を含む、ことを特徴とする構成デバイス。
【請求項３】
請求項１に記載の発電プラントモジュールに導入される構成デバイスであって、前記コンテナ（２Ａ）の前記傾動ドア（３）の配置の第１の態様において、前記側壁（２Ｃ１）が、両方とも、１対の平行領域（ｐ１）および（ｐ２）を画定する１対の構造支柱（Ｃ１）を有し、前記平行領域はそれぞれ、前記コンテナ（２Ａ）の前記側壁（２Ｃ１）の全長（ｚ１）の半分からなる長さ（ｚ）を有する切抜き領域（２ｃ２）を含み、各切抜き領域（２ｃ２）は、それぞれ、角度（α）で１対のガス導管（ＣＧ）を構成する傾動ドア（３）を受ける、ことを特徴とする構成デバイス。
【請求項４】
請求項１に記載の発電プラントモジュールに導入される構成デバイスであって、前記コンテナ（２Ａ’）の前記傾動ドア（３’）の配置の第２の態様において、両側壁（２Ｃ１’）の領域（ｐ１’）が、領域（ｐ２’）の幅（ｘ２’）より小さい幅（ｘ１’）を有し、前記領域（ｐ２’）には、角度（α’）で単一のガス導管（ＣＧ’）を形成するように、前記壁（２Ｃ１’）の全長（ｙ２’）の約２／３の切抜き領域（２ｃ２’）がある、ことを特徴とする構成デバイス。
【請求項５】
請求項１に記載の発電プラントモジュールに導入される構成デバイスであって、前記コンテナ（２Ａ’’）の前記傾動ドア（３’’）の配置の第３の態様において、両側壁（２Ｃ１’’）の領域（ｐ１’’）が、領域（ｐ２’’）に、角度（α’’）で単一のガス導管（ＣＧ’’）を形成するように、前記壁（２Ｃ１’’）の全長（ｙ２’’）の約２／３の切抜き領域（２ｃ２’’）を有する、領域（ｐ２’’）の幅（ｘ２’’）より小さい幅（ｘ１’’）を有する、ことを特徴とする構成デバイス。